(57)【要約】【課題】発電が停止する危険性を低減させるとともに、上下の空間を利用して発電を行う小水力発電装置を提供する。【解決手段】発電装置１は、水路部と、発電機６と、を備える。水路部は、分岐水路４と、主水路５と、合流水路７を有する。分岐水路４は、水が流れる通路の行き先を上下に分岐する。主水路５は、分岐水路４により通路の行き先が上下に分かれて先端が開放された開口Ｏを含む。合流水路７は、開口Ｏの下方に位置して開口Ｏから放水された水が合流する。発電機６は、主水路５の開口Ｏに隣接して開口Ｏからの水流により軸線Ｌ回りに回転する水車６ａと、水車６ａの少なくとも一部を覆い開口Ｏの水流を合流水路７に導くカバー６ｂを有する。分岐水路４により上下に分かれた主水路５の上側の水路の開口Ｏからの水流が合流経路７に導かれる経路上から外れて下側の水路の開口Ｏに隣接する発電機６のカバー６ｂが位置する。【選択図】図２
2017214796.tif 000002
【特許請求の範囲】
【請求項１】
水が流れる通路の行き先を上下に分岐する分岐部と、前記分岐部により前記通路の行き先が上側に分かれて先端が開放された第１放水口を含む上水路と、前記分岐部により下側に分かれて先端が開放された第２放水口を含む下水路と、前記第１放水口及び前記第２放水口の下方に位置して前記第１放水口及び前記第２放水口から放水された水が合流する合流部と、を有する水路部と、
前記第１放水口に隣接して前記第１放水口から水が流れる方向に交差する方向に平行な第１軸線回りに前記第１放水口からの水流により回転する第１水車と、前記第１水車の少なくとも一部を覆い、前記第１放水口からの水流を前記合流部に導く第１カバーと、を有して前記第１水車の回転により発電する第１発電部と、
前記第２放水口に隣接して前記第２放水口から水が流れる方向に交差する方向に平行な第２軸線回りに前記第２放水口からの水流により回転する第２水車と、前記第２水車の上部を覆うとともに前記第２放水口からの水流を前記合流部に導く第２カバーと、を有して前記第２水車の回転により発電する第２発電部と、
を備え、
前記第１放水口からの水流が前記第１カバーによって前記合流部に導かれる経路上から外れて前記第２カバーが位置することを特徴とする小水力発電装置。
【請求項２】
前記第１カバーは、前記第１水車を回転させた前記第１放水口からの水流を前記第１水車の下側に導き、
前記下水路は、前記上水路の直下において前記上水路に沿って前記上水路の途中まで延び、
前記第２カバーは、前記上水路の直下に位置する請求項１に記載の小水力発電装置。
【請求項３】
前記上水路は、第１上水路であり、
前記水路部は、前記分岐部により前記通路の行き先が上側に分かれて先端が開放された第３放水口を含み、前記第１上水路の横側において前記第１上水路に沿って前記第１上水路の途中まで延びる第２上水路を有し、
前記第３放水口に隣接して前記第３放水口から水が流れる方向に交差する方向に平行な第３軸線回りに前記第３放水口からの水流により回転する第３水車と、前記第３水車の少なくとも一部を覆い、前記第３放水口からの水流を前記合流部に導く第３カバーと、を有して前記第３水車の回転により発電する第３発電部を備え、
前記第３水車及び前記第３カバーは、前記第１上水路の横側に位置し、
前記第３放水口からの水流が前記第３カバーによって前記合流部に導かれる経路上から外れて前記第２カバーが位置する請求項１又は２に記載の小水力発電装置。
【請求項４】
前記下水路は、第１下水路であり、
前記水路部は、前記分岐部により前記通路の行き先が下側に分かれて先端が開放された第４放水口を含み、前記第１下水路の横側において前記第１下水路に沿って延びて前記第１下水路より突出する第２下水路を有し、
前記第４放水口に隣接して前記第４放水口から水が流れる方向に交差する方向に平行な第４軸線回りに前記第４放水口からの水流により回転する第４水車と、前記第４水車の上部の覆うとともに前記第４放水口からの水流を前記合流部に導く第４カバーと、を有して前記第４水車の回転により発電する第４発電部を備え、
前記第２水車及び前記２カバーは、前記第２下水路の横側に位置し、
前記第１カバー及び前記第３カバーにより前記合流部に導かれる水流の経路上から外れて前記第２下水路と前記第４カバーが位置する請求項３に記載の小水力発電装置。
【請求項５】
前記第１上水路及び前記第２上水路並びに前記第１下水路及び前記第２下水路は、それぞれ直線状に形成される請求項４に記載の小水力発電装置。
【請求項６】
前記第１発電部は、前記第１軸線に沿って延びるとともに前記第１水車の回転に対応して回転する第１回転軸と、前記第１回転軸の回転に対応して発電をする第１本体部を有し、
前記第２発電部は、前記第２軸線に沿って延びるとともに前記第２水車の回転に対応して回転する第２回転軸と、前記第２回転軸の回転に対応して発電をする第２本体部を有し、
前記第３発電部は、前記第３軸線に沿って延びるとともに前記第３水車の回転に対応して回転する第３回転軸と、前記第３回転軸の回転に対応して発電をする第３本体部を有し、
前記第４発電部は、前記第４軸線に沿って延びるとともに前記第４水車の回転に対応して回転する第４回転軸と、前記第４回転軸の回転に対応して発電をする第４本体部を有し、
前記第１軸線、前記第２軸線、前記第３軸線及び前記第４軸線は、互いに平行であり、
前記第１軸線及び前記第３軸線は同一平面である第１平面上に位置し、前記第２軸線及び前記第４軸線は、前記第１平面上と異なる同一平面上に位置し、
前記第２軸線の直上に前記第３軸線が位置し、かつ、前記第４軸線の直上に前記第１軸線が位置する請求項４又は５に記載の小水力発電装置。
【請求項７】
前記第１発電部、前記第２発電部、前記第３発電部及び前記第４発電部は、マイクロ水力発電機である請求項４ないし６のいずれか１項に記載の小水力発電装置。
【発明の詳細な説明】
【技術分野】
【０００１】
本発明は、例えば、小河川、用水路などを流れる水流を利用して小規模な水力発電を行う小水力発電装置に関する。
【背景技術】
【０００２】
例えば、特許文献１には、農地の水路を複数に分岐させ、分岐させた各水路に水車を設けることで、効率よく発電を行う小規模な水力発電装置（小水力発電装置）が開示されている。
【先行技術文献】
【特許文献】
【０００３】
【特許文献１】特開平６−２５７１２７号公報
【発明の概要】
【発明が解決しようとする課題】
【０００４】
しかし、特許文献１の小水力発電装置では、分岐させた各水路に設けた水車の出力軸が共通であるため、共通の出力軸に故障が生じると各水路に水が流れても発電が行われない。このような故障は、小規模な発電を行う小水力発電装置では致命的となる。また、小水力発電装置を山間部などに設置する場合には、小水力発電装置の設置スペースが限られるため、特許文献１のように複数の水路を並列に広げる以外にも上下の空間も効果的に活用することが望ましい。
【０００５】
本発明の課題は、発電が停止する危険性を低減させるとともに、上下の空間を利用して発電を行う小水力発電装置を提供することにある。
【課題を解決するための手段及び発明の効果】
【０００６】
本発明の小水力発電装置は、
水が流れる通路の行き先を上下に分岐する分岐部と、分岐部により通路の行き先が上側に分かれて先端が開放された第１放水口を含む上水路と、分岐部により下側に分かれて先端が開放された第２放水口を含む下水路と、第１放水口及び第２放水口の下方に位置して第１放水口及び第２放水口から放水された水が合流する合流部と、を有する水路部と、
第１放水口に隣接して第１放水口から水が流れる方向に交差する方向に平行な第１軸線回りに第１放水口からの水流により回転する第１水車と、第１水車の少なくとも一部を覆い、第１放水口からの水流を合流部に導く第１カバーと、を有して第１水車の回転により発電する第１発電部と、
第２放水口に隣接して第２放水口から水が流れる方向に交差する方向に平行な第２軸線回りに第２放水口からの水流により回転する第２水車と、第２水車の上部を覆うとともに第２放水口からの水流を合流部に導く第２カバーと、を有して第２水車の回転により発電する第２発電部と、
を備え、
第１放水口からの水流が第１カバーによって合流部に導かれる経路上から外れて第２カバーが位置することを特徴とする。
【０００７】
本発明の小水力発電装置は、水が流れる通路を上水路と下水路に分岐し、上水路に第１発電部を設ける一方で下水路には第２発電部を設けることで、一方の発電部が故障しても他方の発電部により発電を行うことができる。よって、発電が完全に停止する危険性を低減させることができる。また、第１カバーにより上水路からの水流が合流部に導かれる経路上から外れて第２カバーが位置することで、上水路からの水流が第２カバーに直撃するのが回避され、第２カバーを有する第２発電部の耐久性が高まる。それ故、第２発電部が故障する危険性を低減させることができる。更に、上水路の第１放水口に隣接して第１水車が位置するとともに、下水路の第２放水口に隣接して第２水車が位置することで、水路と水車がそれぞれ上下に配置され、上下の空間を利用して発電を行うことが可能となる。
【０００８】
本発明の実施態様では、
第１カバーは、第１水車を回転させた第１放水口からの水流を第１水車の下側に導き、
下水路は、上水路の直下において上水路に沿って上水路の途中まで延び、
第２カバーは、上水路の直下に位置する。
【０００９】
これによれば、上水路の直下の空間に下水路及び第２カバーが位置するため、上水路の直下の空間を有効に活用できるとともに、第１放水口からの水流が第２カバーに直撃するのを回避できる。
【００１０】
本発明の実施態様では、
前記上水路は、第１上水路であり、
水路部は、分岐部により通路の行き先が上側に分かれて先端が開放された第３放水口を含み、第１上水路の横側において第１上水路に沿って第１上水路の途中まで延びる第２上水路を有し、
第３放水口に隣接して第３放水口から水が流れる方向に交差する方向に平行な第３軸線回りに第３放水口からの水流により回転する第３水車と、第３水車の少なくとも一部を覆い、第３放水口からの水流を合流部に導く第３カバーと、を有して第３水車の回転により発電する第３発電部を備え、
第３水車及び第３カバーは、第１上水路の横側に位置し、
第３放水口からの水流が第３カバーによって合流部に導かれる経路上から外れて第２カバーが位置する。
【００１１】
これによれば、第１上水路の横側の空間に第２上水路、第３水車及び第３カバーが位置するため、第１上水路の横側の空間を有効に活用できるとともに、第３放水口からの水流が第２カバーに直撃するのを回避できる。
【００１２】
本発明の実施態様では、
前記下水路は、第１下水路であり、
水路部は、分岐部により通路の行き先が下側に分かれて先端が開放された第４放水口を含み、第１下水路の横側において第１下水路に沿って延びて第１下水路より突出する第２下水路を有し、
第４放水口に隣接して第４放水口から水が流れる方向に交差する方向に平行な第４軸線回りに第４放水口からの水流により回転する第４水車と、第４水車の上部の覆うとともに第４放水口からの水流を合流部に導く第４カバーと、を有して第４水車の回転により発電する第４発電部を備え、
第２水車及び２カバーは、第２下水路の横側に位置し、
第１カバー及び第３カバーにより合流部に導かれる水流の経路上から外れて第２下水路と第４カバーが位置する。
【００１３】
これによれば、第２下水路の横側の空間に第１下水路、第２水車及び第２カバーが位置するため、第２下水路の横側の空間を有効に活用できるとともに、第１放水口及び第３放水口からの水流が第２下水路及び第４カバーに直撃するのを回避できる。
【００１４】
本発明の実施態様では、
第１上水路及び第２上水路並びに第１下水路及び第２下水路は、それぞれ直線状に形成される。
【００１５】
これによれば、第１上水路及び第２上水路並びに第１下水路及び第２下水路を流れる水の勢いが大きく妨げられず、発電効率を高めることが可能となる。
【００１６】
本発明の実施態様では、
第１発電部は、第１軸線に沿って延びるとともに第１水車の回転に対応して回転する第１回転軸と、第１回転軸の回転に対応して発電をする第１本体部を有し、
第２発電部は、第２軸線に沿って延びるとともに第２水車の回転に対応して回転する第２回転軸と、第２回転軸の回転に対応して発電をする第２本体部を有し、
第３発電部は、第３軸線に沿って延びるとともに第３水車の回転に対応して回転する第３回転軸と、第３回転軸の回転に対応して発電をする第３本体部を有し、
第４発電部は、第４軸線に沿って延びるとともに第４水車の回転に対応して回転する第４回転軸と、第４回転軸の回転に対応して発電をする第４本体部を有し、
第１軸線、第２軸線、第３軸線及び第４軸線は、互いに平行であり、
第１軸線及び第３軸線は同一平面である第１平面上に位置し、第２軸線及び第４軸線は、第１平面上と異なる同一平面上に位置し、
第２軸線の直上に第３軸線が位置し、かつ、第４軸線の直上に第１軸線が位置する。
【００１７】
これによれば、空間を有効に活用して各水路及び各発電部をコンパクトに配置することが可能となる。
【００１８】
本発明の実施態様では、
第１発電部、第２発電部、第３発電部及び第４発電部は、マイクロ水力発電機である。
【００１９】
これによれば、出力が小さいマイクロ水力発電機を用いても各マイクロ水力発電機の出力を複合することで、比較的大きな出力を確保することが可能となる。
【図面の簡単な説明】
【００２０】
【図１】本発明の一例の小水力発電機装置の設置例を示す模式図。
【図２】図１の小水力発電装置の模式正面図。
【図３】図２の小水力発電装置の第１及び第２上水路と第１及び第２上水路に対応して配置された発電機との位置関係を示す模式平面図。
【図４】図２の小水力発電装置の第１及び第２下水路と第１及び第２下水路に対応して配置された発電機との位置関係を示す模式平面図。
【図５】図２の小水力発電装置の４つの発電機における水車とカバー並びに第２上水路と第２下水路の位置関係を示す模式平面図。
【発明を実施するための形態】
【００２１】
図１に示すように本発明の一例の小水力発電装置（以下、「発電装置１」とする。）は、例えば、山岳地帯において標高の高い場所から標高の低い場所に向けて水が流れるように配置された水路２を利用して発電を行う。水路２は、上流から下流に向けて水が流れる管状の主水路２ａと、主水路２ａから分岐する導水管２ｂを有する。導水管２ｂは、主水路２ａの上流側に接続する一端と発電装置１に接続する他端を有し、主水路２ａからの水を発電装置１に導く。発電装置１に導かれた水流は発電装置１で発電に利用され、主水路２ａの下流側で合流する。
【００２２】
図２及び図３に示すように発電装置１は、導水管２ｂ（図３参照）に繋がる接続水路３と、接続水路３に繋がって接続水路３の行き先を分岐する分岐水路４と、分岐水路４に接続する複数の主水路５と、主水路５の水流で発電する発電機６と、複数の主水路５の水流が合流する合流水路７（図２参照）と、を備える。
【００２３】
接続水路３は管状であり、図３に示すように一端が導水管２ｂに連なるように通じるとともに、他端が分岐水路４に接続する。接続水路３は、導水管２ｂから接続水路３を経由して分岐水路４に流れる水の通路を開閉可能な止水弁３ａ（図２参照）を有する。止水弁３ａを閉じると、導水管２ｂから分岐水路４に流れる水が遮断される。止水弁３ａを開くと、導水管２ｂから分岐水路４に水が流通可能となる。
【００２４】
分岐水路４は、４つ股の管状に形成され、４つ股のもとが接続水路３に連なるように通じる一方で、４つに分かれた先の先端が、それぞれ各主水路５に接続する。分岐水路４は、接続水路３を通過して下流に流れる水の行き先を上下に分岐する。図３及び図４に示すように分岐水路４は、接続水路３を通過して下流に流れる水の行き先を上段の２つの行き先（図３）と下段の２つの行き先（図４）の計４つの行き先に分岐させる。
【００２５】
分岐水路４により分岐された水流は、主水路５に到達する。主水路５は、図３に示すように分岐水路４から上側に分かれた水路である第１上水路５ａ及び第２上水路５ｂと、図４に示すように分岐水路４から下側に分かれた水路である第１下水路５ｃ及び第２下水路５ｄを有する。第１及び第２上水路５ａ、５ｂ並びに第１及び第２下水路５ｃ、５ｄは、それぞれ直線の管状に形成され、管状の一端が分岐水路４の４つに分かれた、それぞれの端に連なるように通じるとともに、管状の他端には開放された開口Ｏが位置する。開口Ｏは、分岐水路４からそれぞれの水路（第１上水路５ａ、第２上水路５ｂ、第１下水路５ｃ、第２下水路５ｄ）に流入した水を放出する放水口である。これらの水路の位置関係は、第１上水路５ａを基準にすると、図３の第２上水路５ｂは、第１上水路５ａの真横（図３の上側）で第１上水路５ａの途中まで延びる。そして、図２の第１下水路５ｃは、第１上水路５ａの直下において第１上水路５ａに沿って第１上水路５ａの途中まで延びる。また、図４の第２下水路５ｄは、第１下水路５ｃの真横（図４の上側）で第１下水路５ｃに沿って延びて第１下水路５ｃより突出する。第２下水路５ｄの直上には、第１及び第２上水路５ａ、５ｂは位置せず、図５に示すように平面視において、第２下水路５ｄは、第２上水路５ｂの横側に位置する。なお、第１上水路５ａ、第２上水路５ｂ、第１下水路５ｃ、第２下水路５ｄは、管状の水路の内径と外径が同一であるとともに、図３と図４に示すように第１上水路５ａと第２下水路５ｄの長さが同じとなり、第２上水路５ｂと第１下水路５ｃの長さが同じとなる。
【００２６】
図３及び図４に示すように第１上水路５ａ、第２上水路５ｂ、第１下水路５ｃ、第２下水路５ｄのそれぞれの開口Ｏから放水される水流を利用して発電機６が発電を行う。発電機６は、第１上水路５ａ、第２上水路５ｂ、第１下水路５ｃ及び第２下水路５ｄのそれぞれの開口Ｏに対して個別に設けられる。発電機６は、それぞれの開口Ｏに隣接して設けられる。発電機６は、開口Ｏからの水流により回転する水車６ａと、水車６ａの一部を覆い水車６ａを回転させる水流を導くカバー６ｂと、水車６ａの回転に対応して回転する回転軸６ｃと、回転軸６ｂの回転に応じて発電する本体部６ｄを有する。水車６ａは、各水路（第１上水路５ａ、第２上水路５ｂ、第１下水路５ｃ、第２下水路５ｄ）に直交する方向に平行な軸線Ｌを回転軸として、開口Ｏから放出される水流により軸線Ｌ回りに回転する。カバー６ｂは、図２に示すように水車６ａの上部から水車６ａの側面に沿って略Ｃ字状に水車６ａを覆うとともに、水車６ａを回転させる開口Ｏから放水される水流を水車６ａの下側に導くガイドとしての機能を有する。開口Ｏから放水される水流がカバー６ｂにより水車６ａが回転するように案内され、水車６ａの回転に応じて図３及び図４の回転軸６ｃが回転し、回転軸６ｃを通じて本体部６ｄが発電を行う。なお、水車６ａを回転させた水流は、カバー６ｂによって水車６ａの下側（例えば、水車６ａの真下）に導かれる。発電機６としては、発電出力が１００ｋＷ以下（例えば、５ｋＷ）となるマイクロ水力発電機が採用され、それぞれの開口Ｏに対して同一のマイクロ水力発電機が設置される。各マイクロ水力発電機により生じた電力は、例えば、パワーコンディショナーなどに入力され、４つの電力が複合される。
【００２７】
発電機６の水車６ａを回転させた水流は、カバー６ｂにより図２に示す合流水路７に導かれる。合流水路７は、第１上水路５ａ、第２上水路５ｂ、第１下水路５ｃ、第２下水路５ｄのそれぞれの開口Ｏの下方に位置して、各開口Ｏから放出された水が流れ込む。また、合流水路７は図１に示す主水路２ａの下流側に連なるように通じ、図２の各開口Ｏから放水された水が合流水路７で合流し、合流した水が主水路２ａを流れる水に合流する。
【００２８】
以上、発電装置１の主要な各部について説明した。次に、図１の主水路２ａを流れる水が導水管２ｂにより発電装置１に導かれて発電が行われる過程を説明する。発電装置１により発電を行う際は、主水路２ａを流れる水流が導水管２ｂにより図２の接続水路３に導かれる。接続水路３では、例えば、発電機６のメンテナンス等をする場合は、止水弁３ａが閉じられ、分岐水路４に流れる水流が遮断されるが、通常時には止水弁３ａが開かれ、接続水路３を経由して分岐水路４に水が流れる。分岐水路４に水が流れると、第１上水路５ａ、第２上水路５ｂ、第１下水路５ｃ及び第２下水路５ｄの各水路に水が流入し、各水路の開口Ｏから水平方向に水が放水される。この放水される方向は、例えば、軸線Ｌに直交する方向であり、放水される水により水車６ａが軸線Ｌ回りに回転し、発電が行われる。このような発電が、第１上水路５ａ、第２上水路５ｂ、第１下水路５ｃ及び第２下水路５ｄの開口Ｏに個別に設けられた発電機６で行われ、各発電機６の発電出力がパワーコンディショナーで複合される。水車６ａを回転させた水流は、水車６ａを覆うカバー６ｂにより水車６ａの上部から水車６ａの側面に略Ｃ字状に沿うようにして水車６ａの真下に導かれ、他の発電機６のカバー６ｂに直撃することなく、そのまま合流水路７に導かれる。合流水路７では、第１上水路５ａ、第２上水路５ｂ、第１下水路５ｃ及び第２下水路５ｄの各開口Ｏから放水されて水車６ａを回転させた水流が流れ込み、合流水路７に流れ込んだ水流が図１の主水路２ａを流れる水流に合流する。
【００２９】
発電装置１は、図２に示すように水が流れる通路を第１及び第２上水路５ａ、５ｂと第１下水路５ｃ、５ｄに分岐させ、これらの水路の開口Ｏに個別に発電機６を設ける。よって、１つの発電機６が故障しても他の発電機６で発電ができ、発電が完全に停止してしまう危険性を低減させることができる。また、第１及び第２上水路５ａ、５ｂの開口Ｏから放出されて水車６ａを回転させた水流がカバー６ｂにより水車６ａの真下に落下する。図５に示すように各水車６ａの位置が互いにずれて配置されるため、開口Ｏからの水流が発電機６のカバー６ｂに直撃するのが回避される。よって、発電機６が故障する危険性を低減させることができる。また、このように複数の発電機６が上下に配置することで、上下の空間を利用して発電を行うことができる。
【００３０】
図２に示すように第１上水路５ａの直下の空間には、第１下水路５ｃと、第１下水路５ｃに隣接する発電機６の水車６ａ及びカバー６ｂが位置するため、第１上水路５ａの直下の空間を有効活用できる。更に、図３に示すように第１上水路５ａの真横（図３の上側）の空間に第２上水路５ｂと、第２上水路５ｂに隣接する発電機６の水車６ａ及びカバー６ｂが位置するため、第１上水路５ａの真横の空間を有効活用できる。
【００３１】
一方、図４に示すように第２下水路５ｄの真横（図４の下側）の空間に第１下水路５ｃと、第１下水路５ｃに隣接する発電機６の水車６ａ及びカバー５ｂが位置するため、第２下水路５ｄの真横の空間を有効活用できる。図５に示すように平面視で各発電機６の水車６ａの位置が重ならないように配置されるため、上側に位置する水車６ａから真下に流れ落ちる水流が他の水車６ａの上部を覆うカバー６に直撃しない。
【００３２】
また、図３及び図４に示すように第１上水路５ａ、第２上水路５ｂ、第１下水路５ｃ、第２下水路５ｄは、それぞれ直線状に形成されることで、各水路で水の勢いが大きく妨げられず、発電効率を高めることができる。
【００３３】
図３及び図４に示すように発電機６は、水車６ａの回転軸となる軸線Ｌに沿って延びる回転軸６ｃを有し、図２に示すように各発電機６の軸線Ｌは互いに平行に位置する。そして、第１上水路５ａに隣接する発電機６の軸線Ｌ１と、第２上水路５ｂに隣接する発電機６の軸線Ｌ２が同一平面上に位置し、第１下水路５ｃに隣接する発電機６の軸線Ｌ３と、第２下水路５ｄに隣接する発電機６の軸線Ｌ４が同一平面上に位置する。更に、軸線Ｌ４の直上に軸線Ｌ１が位置し、軸線Ｌ３の直上に軸線Ｌ２が位置する。よって、主水路５及び発電機６をコンパクトに配置することが可能となり、上下左右の空間を有効に活用することができる。
【００３４】
なお、発電機６にマイクロ水力発電機を用いて、各発電機６で得られる発電出力をパワーコンディショナーにより複合することで、出力が小さいマイクロ水力発電機を用いる場合でも比較的大きな出力を確保できる。
【００３５】
以上、本発明の実施例を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００３６】
１    発電装置（小水力発電装置）          ２    水路
３    接続水路                            ４    分岐水路
５    主水路                              ５ａ  第１上水路
５ｂ  第２上水路                          ５ｃ  第１下水路
５ｄ  第２下水路                          ６    発電機
６ａ  水車                                ６ｂ  カバー
６ｃ  回転軸                              ６ｄ  本体部
７    合流水路（合流部）                  Ｌ    軸線
Ｏ    開口（放水口）
【図１】
2017214796.tif 000003
【図２】
2017214796.tif 000004
【図３】
2017214796.tif 000005
【図４】
2017214796.tif 000006
【図５】
2017214796.tif 000007
【手続補正書】
【提出日】平成29年5月22日(2017.5.22)
【手続補正１】
【補正対象書類名】特許請求の範囲
【補正対象項目名】請求項４
【補正方法】変更
【補正の内容】
【請求項４】
前記下水路は、第１下水路であり、
前記水路部は、前記分岐部により前記通路の行き先が下側に分かれて先端が開放された第４放水口を含み、前記第１下水路の横側において前記第１下水路に沿って延びて前記第１下水路より突出する第２下水路を有し、
前記第４放水口に隣接して前記第４放水口から水が流れる方向に交差する方向に平行な第４軸線回りに前記第４放水口からの水流により回転する第４水車と、前記第４水車の上部を覆うとともに前記第４放水口からの水流を前記合流部に導く第４カバーと、を有して前記第４水車の回転により発電する第４発電部を備え、
前記第２水車及び前記第２カバーは、前記第２下水路の横側に位置し、
前記第１カバー及び前記第３カバーにより前記合流部に導かれる水流の経路上から外れて前記第２下水路と前記第４カバーが位置する請求項３に記載の小水力発電装置。
【手続補正２】
【補正対象書類名】明細書
【補正対象項目名】００１２
【補正方法】変更
【補正の内容】
【００１２】
本発明の実施態様では、
前記下水路は、第１下水路であり、
水路部は、分岐部により通路の行き先が下側に分かれて先端が開放された第４放水口を含み、第１下水路の横側において第１下水路に沿って延びて第１下水路より突出する第２下水路を有し、
第４放水口に隣接して第４放水口から水が流れる方向に交差する方向に平行な第４軸線回りに第４放水口からの水流により回転する第４水車と、第４水車の上部を覆うとともに第４放水口からの水流を合流部に導く第４カバーと、を有して第４水車の回転により発電する第４発電部を備え、
第２水車及び第２カバーは、第２下水路の横側に位置し、
第１カバー及び第３カバーにより合流部に導かれる水流の経路上から外れて第２下水路と第４カバーが位置する。